【手続補正書】
【提出日】平成27年3月5日(2015.3.5)
【手続補正１】
【補正対象書類名】明細書
【補正対象項目名】発明の名称
【補正方法】変更
【補正の内容】
【発明の名称】インクジェット記録装置及びインクジェット記録方法
【手続補正２】
【補正対象書類名】明細書
【補正対象項目名】０００１
【補正方法】変更
【補正の内容】
【０００１】
本発明は、記録ヘッドに設けられた発熱素子に駆動パルスを印加して発熱させることによりインクを吐出して記録を行うインクジェット記録装置及びインクジェット記録方法に関する。
【手続補正３】
【補正対象書類名】明細書
【補正対象項目名】０００８
【補正方法】変更
【補正の内容】
【０００８】
そこで、本発明は上記の事情に鑑み、インクの吐出量を確保しながら、パルスの駆動時間及び休止時間が所定時間内に収まるように、これらの調節を行うことのできるインクジェット記録装置及びインクジェット記録方法を提供することを目的とする。
【手続補正４】
【補正対象書類名】明細書
【補正対象項目名】０００９
【補正方法】変更
【補正の内容】
【０００９】
本発明は、駆動パルスが印加されることでインクを吐出するための熱エネルギーを生成する発熱素子を複数有する記録ヘッドと、第１のパルスと、前記第１のパルスに続く第２のパルスと、から構成される第１の駆動パルスを決定する第１の決定手段と、前記第１の決定手段により決定された前記第１の駆動パルスにおける、前記第１のパルスの駆動時間と、前記第２のパルスの駆動時間と、前記第１、第２のパルスの駆動時間の間の休止時間と、の合計である前記第１の駆動パルスの駆動時間に関する情報を取得する第１の取得手段と、前記第１の決定手段により決定された前記第１の駆動パルスに基づいて、第３のパルスと、前記第３のパルスに続く第４のパルスと、から構成される第２の駆動パルスを決定する第２の決定手段と、前記第２の決定手段により決定された前記第２の駆動パルスを前記複数の発熱素子に印加することにより、前記記録ヘッドからインクを吐出するように制御する制御手段と、を有するインクジェット記録装置であって、前記第２の決定手段は、前記第１の取得手段により取得された前記情報が示す前記第１の駆動パルスの駆動時間が所定の閾値よりも長い場合、前記第１の駆動パルスの駆動時間と前記所定の閾値の差分に応じて、少なくとも前記第１の駆動パルスの駆動時間のうちの前記第２のパルスの駆動時間および前記休止時間を調整することにより、前記第２の駆動パルスを決定することを特徴とする。
【手続補正５】
【補正対象書類名】特許請求の範囲
【補正対象項目名】全文
【補正方法】変更
【補正の内容】
【特許請求の範囲】
【請求項１】
駆動パルスが印加されることでインクを吐出するための熱エネルギーを生成する発熱素子を複数有する記録ヘッドと、
第１のパルスと、前記第１のパルスに続く第２のパルスと、から構成される第１の駆動パルスを決定する第１の決定手段と、
前記第１の決定手段により決定された前記第１の駆動パルスにおける、前記第１のパルスの駆動時間と、前記第２のパルスの駆動時間と、前記第１、第２のパルスの駆動時間の間の休止時間と、の合計である前記第１の駆動パルスの駆動時間に関する情報を取得する第１の取得手段と、
前記第１の決定手段により決定された前記第１の駆動パルスに基づいて、第３のパルスと、前記第３のパルスに続く第４のパルスと、から構成される第２の駆動パルスを決定する第２の決定手段と、
前記第２の決定手段により決定された前記第２の駆動パルスを前記複数の発熱素子に印加することにより、前記記録ヘッドからインクを吐出するように制御する制御手段と、を有するインクジェット記録装置であって、
前記第２の決定手段は、前記第１の取得手段により取得された前記情報が示す前記第１の駆動パルスの駆動時間が所定の閾値よりも長い場合、前記第１の駆動パルスの駆動時間と前記所定の閾値の差分に応じて、少なくとも前記第１の駆動パルスの駆動時間のうちの前記第２のパルスの駆動時間および前記休止時間を調整することにより、前記第２の駆動パルスを決定することを特徴とするインクジェット記録装置。
【請求項２】
前記第２の決定手段は、前記第２の駆動パルスにおける前記第３のパルスの駆動時間と、前記第４のパルスの駆動時間と、前記第３、第４のパルスの駆動時間の間の休止時間と、の合計である前記第２の駆動パルスの駆動時間が、前記所定の閾値よりも短くなるように、前記第２の駆動パルスを決定することを特徴とする請求項１に記載のインクジェット記録装置。
【請求項３】
前記第２の決定手段は、前記第１の取得手段により取得された前記情報が示す前記第１の駆動パルスの駆動時間が前記所定の閾値よりも短い場合、前記第１の駆動パルスを前記第２の駆動パルスに決定することを特徴とする請求項１または２に記載のインクジェット記録装置。
【請求項４】
前記第２の決定手段は、（ｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が第１の差分値である場合、前記第１の駆動パルスの駆動時間のうちの前記第２のパルスの駆動時間を第１の調整値だけ短くすることにより、前記第２の駆動パルスを決定し、（ｉｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が前記第１の差分値よりも大きい第２の差分値である場合、前記第１の駆動パルスの駆動時間のうちの前記第２のパルスの駆動時間を前記第１の調整値よりも長い第２の調整値だけ短くすることにより、前記第２の駆動パルスを決定することを特徴とする請求項１から３のいずれか１項に記載のインクジェット記録装置。
【請求項５】
前記第２の決定手段は、（ｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が前記第１の差分値である場合、前記第１の駆動パルスの駆動時間のうちの前記休止時間を第３の調整値だけ短くすることにより、前記第２の駆動パルスを決定し、（ｉｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が前記第２の差分値である場合、前記第１の駆動パルスの駆動時間のうちの前記休止時間を前記第３の調整値よりも長い第４の調整値だけ短くすることにより、前記第２の駆動パルスを決定することを特徴とする請求項４に記載のインクジェット記録装置。
【請求項６】
前記第２の決定手段は、前記第１の取得手段により取得された前記情報が示す前記第１の駆動パルスの駆動時間が前記所定の閾値よりも長い場合、前記第１の駆動パルスの駆動時間のうちの前記第１のパルスの駆動時間を調整しないことを特徴とする請求項５に記載のインクジェット記録装置。
【請求項７】
前記第２のパルスの駆動時間を調整するための少なくとも前記第１、第２の調整値を含む複数の調整値と、前記休止時間を調整するための少なくとも前記第３、第４の調整値を含む複数の調整値と、のそれぞれを前記第１の駆動パルスの駆動時間と前記所定の閾値の差分に応じて規定したテーブルを記憶するメモリを更に有し、
前記第２の決定手段は、前記第１の取得手段により取得された前記情報が示す前記第１の駆動パルスの駆動時間が所定の閾値よりも長い場合、前記メモリに記憶された前記テーブルを用いることにより、前記第２の駆動パルスを決定することを特徴とする請求項５または６に記載のインクジェット記録装置。
【請求項８】
前記第１の調整値と前記第３の調整値の比は、前記第２の調整値と前記第４の調整値の比とほぼ等しいことを特徴とする請求項５から７のいずれか１項に記載のインクジェット記録装置。
【請求項９】
前記第２の決定手段は、（ｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が前記第１の差分値である場合、前記第１の駆動パルスの駆動時間のうちの前記第１のパルスの駆動時間を第５の調整値だけ長くすることにより、前記第２の駆動パルスを決定し、（ｉｉ）前記第１の取得手段により取得された前記情報が示す前記第１の駆動パルスの駆動時間が前記所定の閾値よりも長く、且つ、前記第１の駆動パルスの駆動時間と前記所定の閾値の差分が前記第２の差分値である場合、前記第１の駆動パルスの駆動時間のうちの前記第１のパルスの駆動時間を前記第５の調整値よりも長い第６の調整値だけ長くすることにより、前記第２の駆動パルスを決定することを特徴とする請求項５に記載のインクジェット記録装置。
【請求項１０】
前記第２のパルスの駆動時間を調整するための少なくとも前記第１、第２の調整値を含む複数の調整値と、前記休止時間を調整するための少なくとも前記第３、第４の調整値を含む複数の調整値と、前記第１のパルスの駆動時間を調整するための少なくとも前記第５、第６の調整値を含む複数の調整値と、のそれぞれを前記第１の駆動パルスの駆動時間と前記所定の閾値の差分に応じて規定したテーブルを記憶するメモリを更に有し、
前記第２の決定手段は、前記第１の取得手段により取得された前記情報が示す前記第１の駆動パルスの駆動時間が所定の閾値よりも長い場合、前記メモリに記憶された前記テーブルを用いることにより、前記第２の駆動パルスを決定することを特徴とする請求項９に記載のインクジェット記録装置。
【請求項１１】
少なくとも前記記録ヘッドの温度に基づいて、第５のパルスと、前記第５のパルスに続く第６のパルスと、から構成される第３の駆動パルスを取得する第２の取得手段を更に有し、
前記第１の決定手段は、少なくとも前記第２の取得手段によって取得された前記第３の駆動パルスにおける前記第６のパルスの駆動時間を調整することにより、前記第１の駆動パルスを決定することを特徴とする請求項１から１０のいずれか１項に記載のインクジェット記録装置。
【請求項１２】
前記第１の決定手段は、前記記録ヘッドの温度に基づいて、前記第２の取得手段によって取得された前記第３の駆動パルスにおける前記第６のパルスの駆動を調整することにより、前記第１の駆動パルスを決定することを特徴とする請求項１１に記載のインクジェット記録装置。
【請求項１３】
前記第１の決定手段は、前記記録ヘッドの同時吐出数に基づいて、前記第２の取得手段によって取得された前記第３の駆動パルスにおける前記第６のパルスを調整することにより、前記第１の駆動パルスを決定することを特徴とする請求項１１または１２に記載のインクジェット記録装置。
【請求項１４】
前記記録ヘッドの吐出周波数に基づいて、前記所定の閾値を決定する第３の決定手段を更に有することを特徴とする請求項１から１３のいずれか１項に記載のインクジェット記録装置。
【請求項１５】
前記第３の決定手段は、（ｉ）前記記録ヘッドの吐出周波数が第１の値である場合、前記所定の閾値を第１の閾値に決定し、（ｉｉ）前記記録ヘッドの吐出周波数が前記第１の値よりも低い第２の値である場合、前記所定の閾値を前記第１の閾値よりも高い第２の閾値に決定することを特徴とする請求項１４に記載のインクジェット記録装置。
【請求項１６】
駆動パルスが印加されることでインクを吐出するための熱エネルギーを生成する発熱素子を複数有する記録ヘッドを備えたインクジェット記録装置を用い、前記記録ヘッドからインクを吐出して記録を行うインクジェット記録方法であって、
第１のパルスと、前記第１のパルスに続く第２のパルスと、から構成される第１の駆動パルスを決定する第１の決定工程と、
前記第１の決定工程で決定された前記第１の駆動パルスにおける、前記第１のパルスの駆動時間と、前記第２のパルスの駆動時間と、前記第１、第２のパルスの駆動時間の間の休止時間と、の合計である前記第１の駆動パルスの駆動時間に関する情報を取得する第１の取得工程と、
前記第１の決定工程で決定された前記第１の駆動パルスに基づいて、第３のパルスと、前記第３のパルスに続く第４のパルスと、から構成される第２の駆動パルスを決定する第２の決定工程と、
前記第２の決定工程で決定された前記第２の駆動パルスを前記複数の発熱素子に印加することにより、前記記録ヘッドからインクを吐出するように制御する制御工程とを有し、
前記第２の決定工程では、前記第１の取得工程で取得された前記情報が示す前記第１の駆動パルスの駆動時間が所定の閾値よりも長い場合、前記第１の駆動パルスの駆動時間と前記所定の閾値の差分に応じて、少なくとも前記第１の駆動パルスの駆動時間のうちの前記第２のパルスの駆動時間および前記休止時間を調整することにより、前記第２の駆動パルスが決定されることを特徴とするインクジェット記録方法。